【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
被写体像を電気信号に変換する撮像手段により得られる画像データを記録する内部メモリと、
上記画像データを上記内部メモリから外部記録媒体に順次記録する記録手段とを備えた撮像装置であって、
上記記録に関わる操作部材の変移を検知する検知手段と、
上記検知手段の判定に基づいて上記外部記録媒体への記録動作を制御する記録制御手段と、
上記内部メモリに上記外部記録媒体へ記録すべき未記録の画像データが残存するか否かを判定するメモリ判定手段と、
上記記録制御手段により上記外部記録媒体への画像データの記録が開始された後に、上記検知手段が上記操作部材の変移を検知したとき、上記メモリ判定手段が上記外部記録媒体へ記録すべき未記録の画像データが上記内部メモリに残存すると判定した場合には、上記記録制御手段は、上記外部記録媒体への記録動作を中断する指示を行うとともに、上記内部メモリによる画像データの保持を継続することを特徴とする撮像装置。
【請求項２】
上記内部メモリは揮発性メモリであり、上記記録制御手段は上記内部メモリによる画像データの保持を継続するために上記内部メモリに対する通電状態を継続することを特徴とする請求項１に記載の撮像装置。
【請求項３】
上記記録制御手段により上記外部記録媒体への画像データの記録が開始された後に、上記検知手段が上記操作部材の変移を検知したとき、上記メモリ判定手段が上記外部記録媒体へ記録すべき未記録の画像データが上記内部メモリに残存すると判定した場合には、使用者に対して警告動作を実行する警告手段を備えたことを特徴とする請求項１又は２に記載の撮像装置。
【請求項４】
上記検知手段によって上記操作部材が元の状態に変移したことが検知された場合、上記内部メモリに残存していた画像データを上記外部記録媒体へ記録する動作を再開するとともに、上記警告手段による警告を解除することを特徴とする請求項３に記載の撮像装置。
【請求項５】
上記操作部材とは、上記外部記録媒体を収納する記録媒体収納室の媒体挿入開口部を覆う記録媒体保護蓋であり、上記検知手段は、該記録媒体保護蓋の開閉位置を検知することを特徴とする請求項１〜４のいずれか１項に記載の撮像装置。
【請求項６】
上記操作部材とは、電源を収納する電源収納室の挿入開口部を覆う電池蓋であり、上記検知手段は、該電池蓋の開閉位置を検知することを特徴とする請求項１〜４のいずれか１項に記載の撮像装置。
【請求項７】
被写体像を電気信号に変換する撮像手段により得られる画像データを記録する内部メモリと、
上記画像データを上記内部メモリから外部記録媒体に順次記録する記録手段とを備えた撮像装置における画像データの記録制御方法であって、
上記記録に関わる操作部材の変移を検知する検知手順と、
上記検知手順による判定に基づいて上記外部記録媒体への記録動作を制御する記録制御手順と、
上記内部メモリに上記外部記録媒体へ記録すべき未記録の画像データが残存するか否かを判定するメモリ判定手順と、
上記記録制御手順により上記外部記録媒体への画像データの記録が開始された後に、上記検知手順により上記操作部材の変移を検知したとき、上記メモリ判定手順により上記外部記録媒体へ記録すべき未記録の画像データが上記内部メモリに残存すると判定した場合には、上記外部記録媒体への記録動作を中断する指示を行うとともに、上記内部メモリによる画像データの保持を継続する手順とを有することを特徴とする撮像装置における画像データの記録制御方法。
【請求項８】
被写体像を電気信号に変換する撮像手段により得られる画像データを記録する内部メモリと、
上記画像データを上記内部メモリから外部記録媒体に順次記録する記録手段とを備えた撮像装置における画像データの記録制御を行うプログラムであって、
上記記録に関わる操作部材の変移を検知する検知処理と、
上記検知処理による判定に基づいて上記外部記録媒体への記録動作を制御する記録制御処理と、
上記内部メモリに上記外部記録媒体へ記録すべき未記録の画像データが残存するか否かを判定するメモリ判定処理と、
上記記録制御処理により上記外部記録媒体への画像データの記録が開始された後に、上記検知処理により上記操作部材の変移を検知したとき、上記メモリ判定処理により上記外部記録媒体へ記録すべき未記録の画像データが上記内部メモリに残存すると判定した場合には、上記外部記録媒体への記録動作を中断する指示を行うとともに、上記内部メモリによる画像データの保持を継続する処理とを実行させることを特徴とするプログラム。
【請求項９】
請求項８に記載のプログラムを格納したことを特徴とするコンピュータ読み取り可能な記憶媒体。
【手続補正２】
【補正対象書類名】明細書
【補正対象項目名】００１２
【補正方法】変更
【補正の内容】
【００１２】
【課題を解決するための手段】
本発明の撮像装置は、被写体像を電気信号に変換する撮像手段により得られる画像データを記録する内部メモリと、上記画像データを上記内部メモリから外部記録媒体に順次記録する記録手段とを備えた撮像装置であって、上記記録に関わる操作部材の変移を検知する検知手段と、上記検知手段の判定に基づいて上記外部記録媒体への記録動作を制御する記録制御手段と、上記内部メモリに上記外部記録媒体へ記録すべき未記録の画像データが残存するか否かを判定するメモリ判定手段と、上記記録制御手段により上記外部記録媒体への画像データの記録が開始された後に、上記検知手段が上記操作部材の変移を検知したとき、上記メモリ判定手段が上記外部記録媒体へ記録すべき未記録の画像データが上記内部メモリに残存すると判定した場合には、上記記録制御手段は、上記外部記録媒体への記録動作を中断する指示を行うとともに、上記内部メモリによる画像データの保持を継続する点に特徴を有する。
【手続補正３】
【補正対象書類名】明細書
【補正対象項目名】００１３
【補正方法】変更
【補正の内容】
【００１３】
本発明の撮像装置における画像データの記録制御方法は、被写体像を電気信号に変換する撮像手段により得られる画像データを記録する内部メモリと、上記画像データを上記内部メモリから外部記録媒体に順次記録する記録手段とを備えた撮像装置における画像データの記録制御方法であって、上記記録に関わる操作部材の変移を検知する検知手順と、上記検知手順による判定に基づいて上記外部記録媒体への記録動作を制御する記録制御手順と、上記内部メモリに上記外部記録媒体へ記録すべき未記録の画像データが残存するか否かを判定するメモリ判定手順と、上記記録制御手順により上記外部記録媒体への画像データの記録が開始された後に、上記検知手順により上記操作部材の変移を検知したとき、上記メモリ判定手順により上記外部記録媒体へ記録すべき未記録の画像データが上記内部メモリに残存すると判定した場合には、上記外部記録媒体への記録動作を中断する指示を行うとともに、上記内部メモリによる画像データの保持を継続する手順とを有する点に特徴を有する。
【手続補正４】
【補正対象書類名】明細書
【補正対象項目名】００１４
【補正方法】変更
【補正の内容】
【００１４】
本発明のプログラムは、被写体像を電気信号に変換する撮像手段により得られる画像データを記録する内部メモリと、上記画像データを上記内部メモリから外部記録媒体に順次記録する記録手段とを備えた撮像装置における画像データの記録制御を行うプログラムであって、上記記録に関わる操作部材の変移を検知する検知処理と、上記検知処理による判定に基づいて上記外部記録媒体への記録動作を制御する記録制御処理と、上記内部メモリに上記外部記録媒体へ記録すべき未記録の画像データが残存するか否かを判定するメモリ判定処理と、上記記録制御処理により上記外部記録媒体への画像データの記録が開始された後に、上記検知処理により上記操作部材の変移を検知したとき、上記メモリ判定処理により上記外部記録媒体へ記録すべき未記録の画像データが上記内部メモリに残存すると判定した場合には、上記外部記録媒体への記録動作を中断する指示を行うとともに、上記内部メモリによる画像データの保持を継続する処理とを実行させる点に特徴を有する。
【手続補正５】
【補正対象書類名】明細書
【補正対象項目名】００１６
【補正方法】変更
【補正の内容】
【００１６】
上記のように構成された本発明においては、連続撮影後等の撮像装置の内部メモリから外部記録媒体への記録動作に時間を要している場合において、使用者が誤って外部記録媒体の抜き取りにつながる前段階の操作、即ち記録媒体保護蓋の開き操作や、電池の抜き取りにつながる前段階の操作、即ち電池蓋の開き操作をしてしまった場合にも、外部記録媒体内のデータ及び記録媒体には未記録であるカメラの内部メモリに一時記憶した画像データに関しても、消失されることなく記録状態を保持することができる。従って、内部メモリに画像データの記憶状態が保持されているので、誤操作をしてしまった後でもあらためて外部記録媒体に記録することができ、撮影した画像を消失することがなくなる。